(57)【要約】【課題】本発明は、テレビ電話装置を使用して通話をする際に、通話相手が画像通信機能を持たない電話装置であっても、容易に相手の電話機能を使用者が認識できる識別する機能を有する子機付きテレビ電話装置を提供する。【解決手段】子機付きテレビ電話装置の親機を制御する親機制御部１は、通話相手側から画像停止通知を受信した場合は、発光部９の発光素子を消灯させ、画像停止通知を受信しない間は発光部９の発光素子を点灯させるように制御する。【選択図】  図１
2004282437.tif 000002
【特許請求の範囲】
【請求項１】
カメラ等の画像入力手段がない子機を有し、着呼時に前記子機で応答した場合に発呼側に画像通信の停止を通知する子機付きテレビ電話装置において、親機に画像通信時に点灯するＬＥＤ等の発光素子を備えた発光部を設け、着呼側から画像通信の停止の通知を受信したら前記発光部を消灯させることを特徴とする子機付きテレビ電話装置。
【請求項２】
カメラ等の画像入力手段がない子機を有する子機付きテレビ電話装置において、前記子機にＬＥＤ等の発光素子を備えた発光部を設け、テレビ電話装置からの着呼時に前記発光部を点灯させることを特徴とする子機付きテレビ電話装置。
【請求項３】
カメラ等の画像入力手段がない子機を有する子機付きテレビ電話装置において、前記テレビ電話装置に複数の着信音を出力する手段を設け、テレビ電話装置からの着呼時に前記手段により着信音を切替えて出力することを特徴とする子機付きテレビ電話装置。
【請求項４】
カメラ等の画像入力手段がない子機を有する子機付きテレビ電話装置において、前記子機は液晶等で構成される表示部を備え、テレビ電話装置からの着呼時に前記表示部に文字またはアイコンを表示することを特徴とする子機付きテレビ電話装置。
【発明の詳細な説明】
【０００１】
【発明の属する技術分野】
本発明は、通信回線を利用して音声と画像を同時に通信できる親機と音声通信ができるコードレス子機を備えた子機付きテレビ電話装置に関するものである。
【０００２】
【従来の技術】
従来のテレビ電話装置では、通話相手側が画像通信機能を持たない場合には音声通話のみで通話をすることができる。また、画像データの送信を停止する際に、通信相手へ画像の送信停止を知らせるデータを送信することで、双方向で音声のみによる通話を可能とするものがある（特許文献１参照）。
【０００３】
【特許文献１】
特開平９−２１４６１９号公報
【０００４】
【発明が解決しようとする課題】
従来のテレビ電話装置で発呼し、通話相手が画像通信機能を持たない電話装置で着呼した場合では、通話相手の電話装置から送信される画像送信停止のデータにより、発呼側のテレビ電話装置は画像の送信停止の制御をする。しかし、発呼側のテレビ電話装置のユーザには表示による通知がされないため、発呼者は発呼側の表示部に相手の画像等が何も表示されないことを訝しく思うことがある。
【０００５】
また、テレビ電話装置で着呼する時でも、発呼側が画像通信機能を持たない場合や故意に画像通信機能を使わずに画像を送信してこない場合では、着呼側のテレビ電話装置には、通信相手の電話装置から送信される画像送信停止のデータにより、着呼側のテレビ電話装置は画像の送信停止の制御をする。しかし、着呼側のテレビ電話装置のユーザには、表示による通知がされないため、表示部に何も表示されないことを訝しく思うことがある。
【０００６】
また、親機のみに画像入力手段を持ち、子機には画像入力手段を持たないような子機付きテレビ電話装置同士が、発呼側が親機から、着呼側が子機から通話した場合、双方のテレビ電話装置は画像送信機能を備えているものの、子機を使用しているテレビ電話装置では、画像入力手段を備えていないため、発呼側の親機を使用しているユーザは、親機の表示部に何も表示しないため、同様な問題が発生する。
【０００７】
そこで、本発明は、テレビ電話装置を使用して通話をする際に、通話相手が画像通信できない場合に、容易に相手の通信機能を使用者が認識できる機能を有する子機付きテレビ電話装置を提供する。
【０００８】
【課題を解決するための手段】
この課題を解決するために、本発明の子機付きテレビ電話装置は、親機にＬＥＤ等の発光素子を備えた発光部を備え、画像通信停止の通知手段を設け、子機付きテレビ電話装置で着呼した際に、画像通信機能がない子機で応答した場合は画像通信停止通知手段により画像通信を行わない旨を発呼側に通知する。また、本発明の子機付きテレビ電話装置にて発呼した際に、画像通信時には前記発光部を点灯させ、着呼側からの画像通信停止の通知を受信したら発光部を消灯するように構成したものである。
【０００９】
また、発呼時に画像通信を行う旨の通知を送信する手段と子機にＬＥＤ等の発光素子を備えた発光部を設け、着呼時に前記画像通信の通知を受信したら子機の発光部を点灯させたり、複数の着信音を出力する手段を設け、着呼時に前記画像通信の通知に応じた着信音を出力したり、少なくともアイコンや文字が表示できるＬＣＤ等の小型表示部を設け、着呼時に前記画像通信の通知を受信したらその表示部にアイコンまたは文字を表示するように構成したものである。
【００１０】
これにより、通話相手側が画像入力手段を持たない子機を備えた子機付きテレビ電話において、子機を使っている時に、ユーザが使用している子機付きテレビ電話装置の表示部に相手の画像が表示されていなくてもユーザが訝しく思うことなく通話することができるテレビ電話装置が得られる。
【００１１】
また、着呼時に通話相手がテレビ電話装置か否か確認できるため、ユーザはテレビ電話からの着呼時に最初から画像通信機能を有する親機で応答したり、画像入力手段がない子機で応答した場合も通話時に対応することができる。
【００１２】
【発明の実施の形態】
本発明の請求項１に記載の発明は、カメラ等の画像入力手段がない子機を有し、着呼時に前記子機で応答した場合に発呼側に画像通信の停止を通知するテレビ電話装置において、親機に画像通信時に点灯するＬＥＤ等の発光素子を備えた発光部を設け、着呼側から画像通信の停止の通知を受信したら前記発光部を消灯するものであり、これによりユーザは相手がテレビ電話装置を使っているか否か知ることができ、表示部に相手の画像が表示されなくてもユーザが訝しく思うことなく通話することができるという作用を有する。
【００１３】
請求項２に記載の発明は、カメラ等の画像入力手段がない子機を有する子機付きテレビ電話装置において、前記子機にＬＥＤ等の発光素子を備えた発光部を設け、テレビ電話装置からの着呼時に前記発光部を点灯させるように構成したものであり、これにより着呼時に相手がテレビ電話装置か否か確認できるためユーザはテレビ電話装置からの着呼時に最初から親機で応答したり、子機で応答した場合も通話時に対応したりすることができるという作用を有する。
【００１４】
請求項３に記載の発明は、カメラ等の画像入力手段がない子機を有する子機付きテレビ電話装置において、前記テレビ電話装置に複数の着信音を出力する手段を設け、テレビ電話装置からの着呼時に前記手段により着信音を切替えて出力するように構成したものであり、これにより着呼時に相手がテレビ電話装置か否か確認できるためユーザはテレビ電話装置からの着呼時に最初から親機で応答したり、子機で応答した場合も通話時に対応したりすることができるという作用を有する。
【００１５】
請求項４に記載の発明は、カメラ等の画像入力手段がない子機を有する子機付きテレビ電話装置において、前記子機は液晶等で構成される表示部を備え、テレビ電話装置からの着呼時に前記表示部に文字またはアイコンを表示するように構成したものであり、これによりユーザは着呼時に相手がテレビ電話装置か否か確認できるためテレビ電話装置からの着呼時に最初から親機で応答したり、子機で応答した場合も通話時に対応したりすることができるという作用を有する。
【００１６】
以下、本発明における実施の形態について、図１から図８を用いて説明する。
【００１７】
（実施の形態１）
本発明における実施の形態１について、図１の構成図と図５のフローチャートを用いて説明する。
【００１８】
本発明の子機付きテレビ電話装置は、ＩＰ通信回線に接続される親機と、親機と無線通信手段によって接続される子機で構成される。
【００１９】
図１は本発明の実施の形態１に係る子機付きテレビ電話装置の構成図である。
【００２０】
図１において、１は子機付きテレビ電話装置の親機全てを統括制御する親機制御部、２は通信処理機能を有し、有線または無線の通信回線網および子機と画像情報や音声情報の送受信制御を行う通信制御部、３は送信または受信する画像データを一時的に格納するデータバッファ、４は画像データの圧縮・符号化および伸張・復号化処理を行う画像処理部、５は後述する画像入力部６より入力された画像データを一時的に蓄えるための送信メモリ、６は撮影された画像を電気信号に変換するイメージセンサ等で構成される画像入力部、７は画像処理部４で伸張・復号された画像データを一時的に蓄えるための受信メモリ、８は受信メモリ７に蓄えられた画像を表示するＬＣＤ等で構成される画像出力部、９は親機制御部１の制御信号によって点灯・消灯するＬＥＤ等の発光素子によって構成される発光部、１０は変復調信号処理機能を有し子機との間で無線での音声情報の送受信を行う無線通信部、１１は親機制御部１が実行する動作プログラムが格納された親機記憶部、１２は入力された音声を電気信号に変換するマイク等で構成される音声入力部、１３は通信回線網を使った電話の通話時に受信音声を出力するスピーカおよび着信音等を出力するスピーカ等で構成される音声出力部、１４はユーザによる電話番号入力や操作指示入力等を行うキーパッド等で構成される操作部である。１５は親機と無線通信手段を使って音声データの送受信を行う子機である。
【００２１】
以上のように構成されたテレビ電話装置において、その動作を説明する。
【００２２】
図５は、本発明の実施の形態１に係る子機付きテレビ電話装置の親機の動作フローチャートである。
【００２３】
まず、ユーザが相手の電話番号を操作部１４より入力すると親機制御部１は入力された電話番号等を含む発呼データを送信する（Ｓ１）。相手が応答したら（Ｓ２）、音声入力部１２でマイク等から入力された通話者のアナログ音声信号をＡ／Ｄ変換する。画像入力部６で入力された画像データをＡ／Ｄ変換し送信メモリ５に蓄え、蓄えた画像データを画像処理部４で圧縮・符号化しデータバッファ３を経て通信制御部２に送る。通信制御部２は音声データと画像データを多重化し通信回線を経由して通信相手に送信する。相手電話装置から受信したデータは通信制御部２が画像データと音声データに分け、画像データはデータバッファ３を経て画像処理部４で伸張・復号する。伸張・復号した画像データは受信メモリ７に蓄え、画像出力部８でアナログ映像信号にＤ／Ａ変換してＬＣＤ等の表示装置に表示する。一方音声データは音声出力部１３でアナログ音声信号にＤ／Ａ変換しスピーカから音声として出力する（Ｓ３）。音声および画像の通信中に相手側から画像停止の通知を受信したら（Ｓ４）、親機制御部１は発光部９の発光素子を消灯させる（Ｓ５）。画像停止通知を受信しない間は発光部９の発光素子を点灯させるように制御する（Ｓ６）。ユーザが受話器を置いてオンフックされたら（Ｓ７）、親機制御部１は発光部９の発光素子を消灯させ通信を終了する（Ｓ８）。
【００２４】
（実施の形態２）
本発明における実施の形態２について、図２の構成図と図６のフローチャートを用いて説明する。
【００２５】
本発明の子機付きテレビ電話装置は、実施の形態１で説明した親機と同様の構成（図１）を有する親機と、親機と無線通信手段によって接続される子機で構成される。従って、親機については、実施の形態１と同一の構成であるため、同符号を付して説明は省略する。
【００２６】
図２は本発明の実施の形態２に係る子機付きテレビ電話装置の子機の構成図である。
【００２７】
図２において、２１は子機付きテレビ電話装置の子機全てを統括制御する子機制御部、２２は親機との間で音声情報の送受信制御行う通信制御部、２３は変復調信号処理機能を有し親機との間で無線での音声情報の送受信を行う無線通信部、２４は子機制御部２１が実行する動作プログラムが格納された子機記憶部、２５は子機制御部２１の制御信号によって点灯・消灯するＬＥＤ等の発光素子によって構成される発光部、２６は入力された音声を電気信号に変換するマイク等で構成される音声入力部、２７は通話時に受信音声を出力するスピーカおよび着信音等を出力するスピーカ等で構成される音声出力部、２８はユーザによる電話番号入力や通話の開始、終了を指示する通話ボタン等の操作指示入力を行うキーパッド等で構成される操作部である。
【００２８】
以上のように構成されたテレビ電話装置において、その動作を説明する。
【００２９】
図６は本発明の実施の形態２に係る子機付きテレビ電話装置の着呼時の動作フローチャートである。
【００３０】
テレビ電話装置の着呼時に（Ｓ１１）、発呼側がテレビ電話装置であるか否かを検出する手段によってテレビ電話装置からの着呼であることを検知したら（Ｓ１２）、親機制御部１は無線通信部１０より子機へ着呼および発光部点灯を指示するデータを送信するとともに着信音を音声出力部１３より出力する。発呼側がテレビ電話装置でなければ着信音を音声出力部１３から出力し、無線通信部１０より着呼の通知のみ子機に行う。子機制御部２１は無線通信部２３で前記親機の無線通信部１０からのデータを受信して、発光部点灯の指示があれば発光部２５の発光素子を点灯させて（Ｓ１３）、着信音を音声出力部２７から出力する（Ｓ１４）。ユーザが親機の受話器を取る、もしくは子機の通話ボタンを押してオフフックしたら（Ｓ１５）、親機制御部１と子機制御部２１は着信音の出力を停止する（Ｓ１６）。ユーザが、親機または子機を使用して通話をするため、親機を使用する場合は、親機制御部１が、子機を使用する場合は、子機制御部２１が、音声と画像を送受信する（Ｓ１７）。通話が終了しユーザが子機の通話ボタンを押してオンフックしたら（Ｓ１８）、子機制御部２１は発光部２５を消灯し通信を終了する（Ｓ１９）。
【００３１】
（実施の形態３）
本発明における実施の形態３について、図３の構成図と図７のフローチャートを用いて説明する。
【００３２】
本発明の子機付きテレビ電話装置は、ＩＰ通信回線に接続される親機と、親機と無線通信手段によって接続される子機で構成される。
【００３３】
図３は、本発明の実施の形態３に係る子機付きテレビ電話装置の構成図であり、図３（ａ）は親機の構成図、（ｂ）は子機の構成図である。
【００３４】
図３（ａ）において、３１は子機付きテレビ電話装置の親機全てを統括制御する親機制御部、３２は通信処理機能を有し、有線または無線の通信回線網および子機と画像情報や音声情報の送受信制御を行う通信制御部、３３は送信または受信する画像データを一時的に格納するデータバッファ、３４は画像データの圧縮・符号化および伸張・復号化処理を行う画像処理部、３５は画像入力部３６より入力された画像データを一時的に蓄えるための送信メモリ、３６は撮影された画像を電気信号に変換するイメージセンサ等で構成される画像入力部、３７は画像処理部３４で伸張・復号された画像データを一時的に蓄えるための受信メモリ、３８は受信メモリ３７に蓄えられた画像を表示するＬＣＤ等で構成される画像出力部、３９は変復調信号処理機能を有し子機との間で無線での音声情報の送受信を行う無線通信部、４０は親機制御部３１が実行する動作プログラムが格納された親機記憶部、４１は入力された音声を電気信号に変換するマイク等で構成される音声入力部、４２は通信回線網を使った電話の通話時に受信音声を出力するスピーカ等で構成される音声出力部、４３は着呼時に着信音等を出力するスピーカ等で構成される音出力部、４４は音出力部４３から出力する音を切換える出力音切換え部、４５は音出力部４３から出力する音データを格納する出力音保存部、４６はユーザによる電話番号入力や操作指示入力等を行うキーパッド等で構成される操作部である。
【００３５】
図３（ｂ）において、５１は子機付きテレビ電話装置の子機全てを統括制御する子機制御部、５２は親機との間で音声情報の送受信制御行う通信制御部、５３は変復調信号処理機能を有し親機との間で無線での音声情報の送受信を行う無線通信部、５４は子機制御部５１が実行する動作プログラムが格納された子機記憶部、５５は入力された音声を電気信号に変換するマイク等で構成される音声入力部、５６は通話時に受信音声を出力するスピーカ等で構成される音声出力部、５７はユーザによる電話番号入力や通話の開始、終了を指示する通話ボタン等の操作指示入力を行うキーパッド等で構成される操作部、５８は音出力部から出力する着信音データを格納する出力音保存部、５９は音出力部から出力する音を切換える出力音切換え部、６０は着呼時に着信音等を出力するスピーカ等で構成される音出力部である。
【００３６】
以上のように構成されたテレビ電話装置において、その動作を説明する。
【００３７】
図７は、本発明の実施の形態３に係るテレビ電話装置の着呼時の動作フローチャートである。
【００３８】
着呼時に（Ｓ２１）、発呼側がテレビ電話装置であるか否かを検出する手段によってテレビ電話装置からの着呼であることを検知したら（Ｓ２２）、親機制御部３１は無線通信部３９より子機へ着呼およびテレビ電話装置からの着呼であることを通知するデータを送信するとともに、出力音切換え部４４で出力音保存部４５に格納されている少なくとも２種以上の出力音データからテレビ電話装置着信用に設定された出力音（着信音Ａ）のデータを読み出し、音出力部４３でＤ／Ａ変換してスピーカから出力する（Ｓ２３）。親機制御部３１は、発呼側がテレビ電話装置でなければ着呼の通知を子機に行い、出力音切換え部４４で出力音保存部４５に格納されている少なくとも２種以上の出力音データから通常着信用に設定された出力音（着信音Ｂ）のデータを読み出し、音出力部４３でＤ／Ａ変換してスピーカから出力する（Ｓ２５）。子機制御部５１は、無線通信部５３で親機からのデータを受信して、テレビ電話装置からの着呼である旨の通知を受け取ったら出力音切換え部５９で出力音保存部５８に格納されている少なくとも２種以上の出力音データからテレビ電話着信用に設定された出力音（着信音Ａ）のデータを読み出し、音出力部６０でＤ／Ａ変換してスピーカから出力する（Ｓ２３）。テレビ電話からの着呼である旨の通知がなければ出力音切換え部５９で出力音保存部５８に格納されている少なくとも２種以上の出力音データから通常着信用に設定された出力音（着信音Ｂ）のデータを読み出し、音出力部６０でＤ／Ａ変換してスピーカから出力する（Ｓ２５）。ユーザが親機の受話器を取るかもしくは子機の通話ボタンを押してオフフックしたら（Ｓ２４）、親機制御部３１と子機制御部５１は着信音の出力を停止する（Ｓ２６）。その後、音声データまたは音声と画像データの通信を行い（Ｓ２７）、通話が終了しユーザが受話器を置くもしくは子機の通話ボタンを押してオンフックしたら（Ｓ２８）、終了処理を行い、通信を終了する（Ｓ２９）。
【００３９】
（実施の形態４）
本発明における実施の形態４について、図４の構成図と図８のフローチャートを用いて説明する。
【００４０】
本発明の子機付きテレビ電話装置は、実施の形態３で説明した親機と同様の構成（図３（ａ））を有する親機と、親機と無線通信手段によって接続される子機で構成される。従って、親機については、実施の形態３と同一の構成であるため、同符号を付して説明は省略する。
【００４１】
図４は、本発明の実施の形態４に係る子機付きテレビ電話装置の子機の構成図である。
【００４２】
図４において、７１は子機付きテレビ電話装置の子機全てを統括制御する子機制御部、７２は親機との間で音声情報の送受信制御行う通信制御部、７３は変復調信号処理機能を有し親機との間で無線での音声情報の送受信を行う無線通信部、７４は子機制御部７１が実行する動作プログラムが格納された子機記憶部、７５は入力された音声を電気信号に変換するマイク等で構成される音声入力部、７６は通話時に受信音声を出力するスピーカおよび着信音等を出力するスピーカ等で構成される音声出力部、７７はユーザによる電話番号入力や通話の開始、終了を指示する通話ボタン等の操作指示入力を行うキーパッド等で構成される操作部、７８は文字やアイコンを表示するＬＣＤ等で構成される表示部である。
【００４３】
以上のように構成された子機付きテレビ電話装置において、その動作を説明する。
【００４４】
図８は本発明の実施の形態４に係る子機付きテレビ電話装置の着呼時の動作フローチャートである。
【００４５】
着呼時に（Ｓ３１）、発呼側がテレビ電話装置であるか否かを検出する手段によってテレビ電話装置からの着呼であることを検知したら（Ｓ３２）、親機制御部３１は、無線通信部３９より子機へ着呼およびテレビ電話装置からの着呼であることを通知するデータを送信するとともに、着信音を音声出力部４２より出力する。発呼側がテレビ電話装置でなければ着信音を出力し着呼の通知のみ子機に行う。子機制御部７１は、無線通信部７３で親機からのデータを受信して、テレビ電話装置からの着呼である旨の通知を受け取ったら予め用意されているアイコンを表示部７８に表示し（Ｓ３３）、着信音を音声出力部７６から出力する（Ｓ３４）。ユーザが親機の受話器を取るもしくは子機の通話ボタンを押してオフフックしたら（Ｓ３５）、親機制御部３１と子機制御部７１は着信音の出力を停止する（Ｓ３６）。ユーザが、親機または子機を使用して通話をするため、親機を使用する場合は、親機制御部３１が、子機を使用する場合は、子機制御部７１が、音声と画像を送受信する（Ｓ３７）。通話が終了しユーザが受話器を置くもしくは子機の通話ボタンを押してオンフックしたら（Ｓ３８）、アイコン表示を停止し通信を終了する（Ｓ３９）。
【００４６】
【発明の効果】
以上の構成とすることにより、相手側が画像入力手段を持たない子機を使っていて表示部に相手の画像が表示されていなくても、親機または子機に容易に相手の通信機能を識別する機能を備えることで、ユーザが容易に認識することができ、訝しく思うことなく通話することができる。また、着呼時に相手がテレビ電話装置か否か容易に確認できるため、ユーザはテレビ電話装置からの着呼時に最初から画像が表示できる親機で応答したり、画像が表示できない子機で応答した場合も通話時に相手に口頭で伝えるなど対応することができるという効果が得られる。
【図面の簡単な説明】
【図１】本発明の実施の形態１に係る子機付きテレビ電話装置の構成図
【図２】本発明の実施の形態２に係る子機付きテレビ電話装置の子機の構成図
【図３】本発明の実施の形態３に係る子機付きテレビ電話装置の構成図
【図４】本発明の実施の形態４に係る子機付きテレビ電話装置の子機の構成図
【図５】本発明の実施の形態１に係る子機付きテレビ電話装置の動作フローチャート
【図６】本発明の実施の形態２に係る子機付きテレビ電話装置の動作フローチャート
【図７】本発明の実施の形態３に係る子機付きテレビ電話装置の動作フローチャート
【図８】本発明の実施の形態４に係る子機付きテレビ電話装置の動作フローチャート
【符号の説明】
１、３１  親機制御部
２、２２、３２、５２、７２  通信制御部
３、３３  データバッファ
４、３４  画像処理部
５、３５  送信メモリ
６、３６  画像入力部
７、３７  受信メモリ
８、３８  画像出力部
９、２５  発光部
１０、２３、３９、５３、７３  無線通信部
１１、４０  親機記憶部
１２、２６、４１、５５、７５  音声入力部
１３、２７、４２、５６、７６  音声出力部
１４、２８、４６、５７、７７  操作部
１５  子機
２１、５１、７１  子機制御部
２４、５４、７４  子機記憶部
４３、６０  音出力部
４４、５９  出力音切換え部
４５、５８  出力音保存部
７８  表示部
【図１】
2004282437.tif 000003
【図２】
2004282437.tif 000004
【図３】
2004282437.tif 000005
【図４】
2004282437.tif 000006
【図５】
2004282437.tif 000007
【図６】
2004282437.tif 000008
【図７】
2004282437.tif 000009
【図８】
2004282437.tif 000010